(57)【要約】スリープ期間中に生じるアクセス端末におけるドリフトを補償するための方法および装置が示される。この方法は、スリープ期間がしきい値を超えたかを判定することと、獲得パイロットおよびページング・チャネルを含む時間領域サンプルをバッファすることと、サンプルをバッファした後に、アクセス端末におけるＲＦ回路の電源を切ることと、ドリフトを補償するためにサンプルを処理することと、アクセス端末がページされたかを、処理されたサンプルに基づいて判定することとを含む。この装置は、デジタル・フロント・エンドと、デジタル・フロント・エンドに接続されたＦＦＴエンジンと、ＦＦＴエンジンに接続されたシンボル・バッファと、デジタル・フロント・エンド、ＦＦＴエンジン、およびシンボル・バッファに接続されたプロセッサと、プロセッサに接続されたメモリとを含む。さらにこのメモリは、この方法を実行するための命令群を備えている。
2011517212.tif 000002
【特許請求の範囲】
【請求項１】
アクセス端末においてスリープ期間中に生じるドリフトを補償する方法であって、
スリープ期間がしきい値を超えたかを判定することと、
少なくとも１つの獲得チャネルまたはページング・チャネルから時間領域サンプルをバッファすることと、
前記時間領域サンプルをバッファした後に、前記アクセス端末におけるＲＦ回路の電源を切ることと、
ドリフトを補償するために前記時間領域サンプルを処理することと、
前記アクセス端末がページされたかを、前記処理された時間領域サンプルに基づいて判定することと
を備える方法。
【請求項２】
前記時間領域サンプルはさらに、獲得パイロットを備える請求項１に記載の方法。
【請求項３】
前記ページング・チャネルは、クイック・ページング・チャネル（ＱＰＣＨ）を備える請求項２に記載の方法。
【請求項４】
前記アクセス端末がページされたかを判定することはさらに、
前記ページング・チャネルを復調することと、
前記ページング・チャネルを正しく復号したことに基づいて、前記アクセス端末がページされたかを判定することと
を備える請求項２に記載の方法。
【請求項５】
前記ページが検出された場合、前記ページング・チャネルに基づいて、次のページを復号することをさらに備える請求項４に記載の方法。
【請求項６】
前記処理することはさらに、
コールド・スタート獲得モードにおいてＴＤＭ−１、２、３サンプルを処理することと、
時間オフセット補正値および周波数オフセット補正値のうちの少なくとも１つを決定することと、
前記少なくとも１つの時間オフセット補正値および周波数オフセット補正値を、前記バッファされたページング・チャネルに適用することと
を備える請求項２に記載の方法。
【請求項７】
前記ページング・チャネルの第１番目のＯＦＤＭシンボルの開始位置を決定することによって、前記時間補正を適用することをさらに備える請求項５に記載の方法。
【請求項８】
前記決定された周波数オフセット補正値に対する時間領域フェーズ・ランプを用いて周波数補正を適用することをさらに備える請求項６に記載の方法。
【請求項９】
前記時間領域サンプルは、シンボルＲＡＭ、プロセッサ内のＴＣＭメモリ、およびサンプル・サーバのうちの少なくとも１つを含むバッファ空間内にバッファされる請求項１に記載の方法。
【請求項１０】
前記時間領域サンプルを前記サンプル・サーバから前記シンボルＲＡＭへ転送するバイパス・モードでＦＦＴエンジンを動作させることをさらに備える請求項９に記載の方法。
【請求項１１】
前記スリープ期間が前記しきい値を超えていないことを判定することと、
前記時間領域サンプルのバッファおよび処理をすることなく、前記ページング・チャネルを復調することと
をさらに備える請求項２に記載の方法。
【請求項１２】
前記ページング・チャネルを復調した後に前記アクセス端末がページされていないことが検出されると、前記アクセス端末をスリープ・モードにすることをさらに備える請求項１１に記載の方法。
【請求項１３】
スリープ期間中に生じたアクセス端末におけるドリフトを補償する装置であって、
デジタル・フロント・エンドと、
前記デジタル・フロント・エンドに接続されたＦＦＴエンジンと、
前記ＦＦＴエンジンに接続されたシンボル・バッファと、
前記デジタル・フロント・エンド、前記ＦＦＴエンジン、および前記シンボル・バッファに接続されたプロセッサと、
前記プロセッサに接続されたメモリとを備え、
前記メモリはさらに、
スリープ期間がしきい値を超えたかを判定し、
少なくとも１つの獲得チャネルまたはページング・チャネルから時間領域サンプルをバッファし、
前記時間領域サンプルをバッファした後に、前記アクセス端末におけるＲＦ回路の電源を切り、
ドリフトを補償するために前記時間領域サンプルを処理し、
前記アクセス端末がページされたかを、前記処理された時間領域サンプルに基づいて判定する
命令群を備える装置。
【請求項１４】
前記時間ドメイン・サンプルはさらに、獲得パイロットを備える請求項１３に記載の装置。
【請求項１５】
前記アクセス端末がページされたかを判定する命令群はさらに、
前記ページング・チャネルを復調し、
前記ページング・チャネルが正しく復調されたことに基づいて、前記アクセス端末がページされたかを判定する
命令群を備える請求項１４に記載の装置。
【請求項１６】
前記メモリはさらに、前記ページが検出された場合、前記ページング・チャネルに基づいて、次のページを復調する命令群を備える請求項１５に記載の装置。
【請求項１７】
前記メモリはさらに、
コールド・スタート獲得モードにおいてＴＤＭ−１、２、３サンプルを処理し、
時間オフセット補正値および周波数オフセット補正値のうちの少なくとも１つを決定し、
前記少なくとも１つの時間オフセット補正値および周波数オフセット補正値を、前記バッファされたページング・チャネルに適用する
命令群を備える請求項１６に記載の装置。
【請求項１８】
前記メモリはさらに、
前記ページング・チャネルの第１番目のＯＦＤＭシンボルの開始位置を決定することによって、前記時間補正を適用する
命令群を備える請求項１７に記載の装置。
【請求項１９】
前記メモリはさらに、
前記決定された周波数オフセット補正値に対応する時間領域フェーズ・ランプを用いて前記周波数補正を適用する命令群を備える
請求項１７に記載の装置。
【請求項２０】
アクセス端末においてスリープ期間中に生じるドリフトを補償する装置であって、
スリープ期間がしきい値を超えたかを判定する手段と、
少なくとも１つの獲得チャネルまたはページング・チャネルから時間領域サンプルをバッファする手段と、
前記時間領域サンプルをバッファした後に、前記アクセス端末におけるＲＦ回路の電源を切る手段と、
ドリフトを補償するために前記時間領域サンプルを処理する手段と、
前記アクセス端末がページされたかを、前記処理された時間領域サンプルに基づいて判定する手段と
を備える装置。
【請求項２１】
前記時間領域サンプルはさらに、獲得パイロットを備える請求項２０に記載の装置。
【請求項２２】
前記ページング・チャネルは、クイック・ページング・チャネル（ＱＰＣＨ）を備える請求項２１に記載の装置。
【請求項２３】
前記ページング・チャネルを復調する手段と、
前記ページング・チャネルを正しく復号したことに基づいて、前記アクセス端末がページされたかを判定する手段と
をさらに備える請求項２１に記載の装置。
【請求項２４】
前記ページング・チャネルが検出されたことに基づいて、その後のページを復調する手段をさらに備える請求項２３に記載の装置。
【請求項２５】
コールド・スタート獲得モードにおいてＴＤＭ−１、２、３サンプルを処理する手段と、
時間オフセット補正値および周波数オフセット補正値のうちの少なくとも１つを決定する手段と、
前記少なくとも１つの時間オフセット補正値および周波数オフセット補正値を、前記バッファされたページング・チャネルに適用する手段と
を備える請求項２２に記載の装置。
【請求項２６】
スリープ期間中に生じたアクセス端末におけるドリフトを補償するためのロジックを組み込んだコンピュータ読取可能媒体であって、
前記ロジックは、
スリープ期間がしきい値を超えたかを判定することと、
少なくとも１つの獲得チャネルまたはページング・チャネルから時間領域サンプルをバッファすることと、
前記時間領域サンプルをバッファした後に、前記アクセス端末におけるＲＦ回路の電源を切ることと、
ドリフトを補償するために前記時間領域サンプルを処理することと、
前記アクセス端末がページされたかを、前記処理された時間領域サンプルに基づいて判定することと
を備える方法を実行するように構成されたコンピュータ読取可能能媒体。
【請求項２７】
前記時間ドメイン・サンプルはさらに、獲得パイロットを備える請求項２６に記載のコンピュータ読取可能媒体。
【請求項２８】
前記ページング・チャネルは、クイック・ページング・チャネル（ＱＰＣＨ）を備える請求項２７に記載のコンピュータ読取可能媒体。
【請求項２９】
前記ページング・チャネルを復調することと、
前記ページング・チャネルを正しく復号したことに基づいて、前記アクセス端末がページされたかを判定することと
をさらに備える前記方法を実行するための追加ロジックを備える請求項２７に記載のコンピュータ読取可能媒体。
【請求項３０】
前記ページが検出された場合、前記ページング・チャネルに基づいて、その後のページを復号することをさらに備える前記方法を実行するための追加ロジックを備える請求項２９に記載のコンピュータ読取可能媒体。
【請求項３１】
コールド・スタート獲得モードにおいてＴＤＭ−１、２、３サンプルを処理することと、
時間オフセット補正値および周波数オフセット補正値のうちの少なくとも１つを決定することと、
前記少なくとも１つの時間オフセット補正値および周波数オフセット補正値を、前記バッファされたページング・チャネルに適用することと、
をさらに備える前記方法を実行するための追加ロジックを備える請求項２８に記載のコンピュータ読取可能媒体。
【請求項３２】
アクセス端末においてスリープ期間中に生じるドリフトを補償する方法であって、
スリープ期間がしきい値を超えたかを判定することと、
獲得パイロットおよびページング・チャネルを含む時間領域サンプルをバッファすることと、
ドリフトを補償するために前記時間領域サンプルを処理することと
を備える方法。
【請求項３３】
前記時間領域サンプルをバッファした後に、前記アクセス端末におけるＲＦ回路の電源を切ることをさらに備える請求項３２に記載の方法。
【請求項３４】
前記アクセス端末がページされたかを、前記処理された時間領域サンプルに基づいて判定することをさらに備える請求項３２に記載の方法。
【請求項３５】
前記処理することはさらに、
コールド・スタート獲得モードにおいて、プライマリ同期信号（ＰＳＳ）サンプルおよびセカンダリ同期信号（ＳＳＳ）サンプルを処理することと、
時間オフセット補正値および周波数オフセット補正値のうちの少なくとも１つを決定することと、
前記少なくとも１つの時間オフセット補正値および周波数オフセット補正値を、前記バッファされた・ページング・サンプルに適用することと
を備える請求項３２に記載の方法。
【請求項３６】
前記ページは、データ・チャネルで送信される請求項３４に記載の方法。
【請求項３７】
アクセス端末においてスリープ期間中に生じるドリフトを補償する装置であって、
スリープ期間がしきい値を超えたかを判定する手段と、
獲得パイロットおよびページング・チャネルを含む時間領域サンプルをバッファする手段と、
ドリフトを補償するために前記時間領域サンプルを処理する手段と
を備える装置。
【請求項３８】
前記時間領域サンプルをバッファした後に、前記アクセス端末におけるＲＦ回路の電源を切ることをさらに備える請求項３７に記載の装置。
【請求項３９】
前記アクセス端末がページされたかを、前記処理された時間領域サンプルに基づいて判定することをさらに備える請求項３７に記載の装置。
【請求項４０】
前記処理することはさらに、
コールド・スタート獲得モードにおいて、プライマリ同期信号（ＰＳＳ）サンプルおよびセカンダリ同期信号（ＳＳＳ）サンプルを処理することと、
時間オフセット補正値および周波数オフセット補正値のうちの少なくとも１つを決定することと、
前記少なくとも１つの時間オフセット補正値および周波数オフセット補正値を、前記バッファされた・ページング・サンプルに適用することと
を備える請求項３７に記載の装置。
【請求項４１】
前記ページは、データ・チャネルで送信される請求項３９に記載の装置。
【請求項４２】
スリープ期間中に生じたアクセス端末におけるドリフトを補償する装置であって、
デジタル・フロント・エンドと、
前記デジタル・フロント・エンドに接続されたＦＦＴエンジンと、
前記ＦＦＴエンジンに接続されたシンボル・バッファと、
前記デジタル・フロント・エンド、前記ＦＦＴエンジン、および前記シンボル・バッファに接続されたプロセッサと、
前記プロセッサに接続されたメモリとを備え、
前記メモリはさらに、
スリープ期間がしきい値を超えたかを判定し、
獲得パイロットおよびページング・チャネルを含む時間領域サンプルをバッファし、
ドリフトを補償するために前記時間領域サンプルを処理する
命令群を備える装置。
【請求項４３】
前記メモリはさらに、
前記時間領域サンプルをバッファした後に、前記アクセス端末におけるＲＦ回路の電源を切る
命令群を備える請求項４２に記載の装置。
【請求項４４】
前記メモリはさらに、
前記アクセス端末がページされたかを、前記処理された時間領域サンプルに基づいて判定する
命令群を備える請求項４２に記載の装置。
【請求項４５】
前記メモリはさらに、
コールド・スタート獲得モードにおいて、プライマリ同期信号（ＰＳＳ）サンプルおよびセカンダリ同期信号（ＳＳＳ）サンプルを処理し、
時間オフセット補正値および周波数オフセット補正値のうちの少なくとも１つを決定し、
前記少なくとも１つの時間オフセット補正値および周波数オフセット補正値を、前記バッファされた・ページング・サンプルに適用する
命令群を備える請求項４２に記載の装置。
【請求項４６】
前記ページはデータ・チャネルで送信される請求項４４に記載の装置。
【請求項４７】
アクセス端末においてスリープ期間中に生じるドリフトを補償するためのロジックを組み込んだコンピュータ読取可能媒体であって、
前記ロジックは、
スリープ期間がしきい値を超えたかを判定することと、
獲得パイロットおよびページング・チャネルを含む時間領域サンプルをバッファすることと、
ドリフトを補償するために前記時間領域サンプルを処理することと
を備える方法を実行するように構成されたコンピュータ読取可能能媒体。
【発明の詳細な説明】
【優先権主張】
【０００１】
本願は、“ＭＥＴＨＯＤ  ＡＮＤ  ＡＰＰＡＲＡＴＵＳ  ＦＯＲ  ＨＡＮＤＬＩＮＧ  ＤＲＩＦＴＳ  ＤＵＲＩＮＧ  ＳＬＥＥＰ  ＦＯＲ  ＡＣＣＥＳＳ  ＴＥＲＭＩＮＡＬＳ”と題され、２００８年４月１日に出願され、本願の譲受人に譲渡され、本明細書において参照によって明確に組み込まれている米国仮出願６１／０４１，３２４号の優先権を主張する。
【技術分野】
【０００２】
本開示の実施形態は、一般に、無線環境における通信に関する。さらに詳しくは、本開示の実施形態は、スリープ期間中に生じる無線アクセス端末内の構成要素のドリフトを補償することに関する。
【背景技術】
【０００３】
無線通信システムは、例えば音声、ビデオ、パケット・データ、メッセージング、ブロードキャスト等のようなさまざまな通信サービスを提供するために広く開発された。これらの無線システムは、（例えば、帯域幅および送信電力のような）利用可能なシステム・リソースを共有することにより、複数のユーザをサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、直交ＦＤＭＡ（ＯＦＤＭＡ）システム、およびシングル・キャリアＦＤＭＡ（ＳＣ−ＦＤＭＡ）システム等を含む。
【０００４】
無線通信システムでは、（モバイル局、ハンドセット、モバイル・デバイス、および／またはユーザ端末のような）アクセス端末は、アクセス・ポイントに隣接する、または、アクセス・ポイントの周囲にある、特定の地理的領域内の通信リンクまたはサービスをサポートする（基地局、ノードＢ、セル・サイトまたはセルとも称される）固定位置のアクセス・ポイントから信号を受信する。有効通信範囲を提供することを助けるために、おのおののセルは、それぞれがより小さなエリアまたは地理的な領域に対応している複数のセクタへ細分割される。互いに隣接して配置されている一連のアクセス・ポイントまたはアレイは、より大きな領域にわたって、多くのシステム・ユーザへサービス提供することができる通信システムを構成しうる。
【０００５】
一般に、無線多元接続通信システムは、複数の無線アクセス端末のための通信を同時にサポートすることができる。おのおののアクセス端末は、順方向リンクおよび逆方向リンクによる送信によって、１または複数のアクセス・ポイントと通信することができる。順方向リンク（すなわちダウンリンク）は、アクセス・ポイントから端末への通信リンクを称し、逆方向リンク（すなわちアップリンク）は、端末からアクセス・ポイントへの通信リンクを称する。この通信リンクは、単一入力単一出力システム、複数入力単一出力システム、あるいは複数入力複数出力（ＭＩＭＯ）システムによって確立されうる。
【０００６】
アクセス端末はおのおのの、アクセス端末とアクセス・ポイントとの間でメッセージを交換するために使用されうる制御チャネルをモニタすることができる。制御チャネルは、システム／オーバヘッド・メッセージを送信するために使用される。一方、トラフィック・チャネルは、一般に、アクセス端末との実質的な通信（例えば、音声およびデータ）のために使用される。例えば、当該技術分野で知られているように、制御チャネルは、トラフィック・チャネルや制御電力レベル等を確立するために使用されうる。
【０００７】
アクセス端末は一般に、バッテリ駆動されるので、システム設計において、節電が重要とされる。したがって、アクセス端末は、スリープ・モードに入ると、定期的にアウェイクし、アクセス端末へ送られたメッセージ／ページングを求めて制御チャネルをモニタする。スリープ・モードの間、アクセス端末内の構成要素は、ドリフトを経験しうる。これらのドリフトは、アクセス端末内の構成要素のパフォーマンスにおける制御できない変動として特徴付けられる。例えば、アクセス端末における周波数基準として使用される発振器は、時間変動および／または周波数変動を経験するクロック信号を提供しうる。構成要素のドリフトは、アクセス端末の機能および／またはパフォーマンスに悪影響を及ぼしうる。さらに、時間／周波数ドリフトはまた、ユーザ間での時間／周波数直交性を破ることによって、アップリンク（ＵＬ）における他のユーザのパフォーマンスにも悪影響を与えうる。
【０００８】
したがって、通信システムにおける潜在的な悪影響を緩和するために、構成要素のドリフトを補償することが望ましい。
【発明の概要】
【０００９】
典型的な実施形態は、アクセス端末においてスリープ期間中に生じるドリフトを補償するためのシステムおよび方法に関する。
【００１０】
１つの実施形態では、スリープ期間中に生じるアクセス端末におけるドリフトを補償する方法が示される。この方法は、スリープ期間がしきい値を超えたかを判定することと、獲得パイロットおよびページング・チャネルを含む時間領域サンプルをバッファすることと、サンプルをバッファした後に、アクセス端末におけるＲＦ回路の電源を切ることと、ドリフトを補償するためにサンプルを処理することと、アクセス端末がページされたかを、処理されたサンプルに基づいて判定することとを含む。
【００１１】
別の実施形態では、スリープ期間中に生じたアクセス端末におけるドリフトを補償するための装置が示される。この装置は、デジタル・フロント・エンドと、デジタル・フロント・エンドに接続されたＦＦＴエンジンと、ＦＦＴエンジンに接続されたシンボル・バッファと、デジタル・フロント・エンド、ＦＦＴエンジン、およびシンボル・バッファに接続されたプロセッサと、プロセッサに接続されたメモリとを含む。さらにこのメモリは、スリープ期間がしきい値を超えたかを判定し、獲得パイロットおよびページング・チャネルを含む時間領域サンプルをバッファし、サンプルをバッファした後に、アクセス端末におけるＲＦ回路の電源を切り、ドリフトを補償するためにサンプルを処理し、アクセス端末がページされたかを、処理されたサンプルに基づいて判定する命令群を備える。
【図面の簡単な説明】
【００１２】
添付図面は、本開示の実施形態の説明を助けるために示され、実施形態の例示のために提供されるものであり、限定のために提供されるものではない。
【図１】図１は、典型的な多元接続無線通信システムのトップ・レベル図を示す。
【図２】図２は、無線通信システム内の典型的なアクセス端末およびアクセス・ポイントのブロック図を示す。
【図３】図３は、典型的なスーパフレーム構造に関連付けられたフォーマット図を示す。
【図４】図４は、アクセス端末に関連付けられた典型的なハードウェア受信機アーキテクチャのブロック図を示す。
【図５】図５は、時間領域サンプルの獲得、および、アクセス端末内のドリフトの補償のための典型的な処理のフローチャートを示す。
【図６】図６は、図５に示す補償処理内の時間ドリフトおよび／または周波数ドリフトを補正する典型的な処理のフロー図を示す。
【発明を実施するための形態】
【００１３】
実施形態は、本開示の特定の実施形態に関する以下の記載および関連図面において開示される。本発明の範囲から逸脱せずに代替実施形態が考案されうる。さらに、本開示に関連する詳細を不明瞭にしないために、周知の要素は詳細には説明されないか、あるいは省略される。
【００１４】
「典型的である」という単語は「例、事例、あるいは実例として役立つ」ことを意味するために本明細書で使用される。本明細書で「典型的である」と記載されたあらゆる実施形態は、他の実施形態によりも好適であるとか有利であるとか解釈される必要は必ずしもない。同様に、用語「本発明の実施形態」は、必ずしも本発明のすべての実施形態が、説明した特徴、利点、あるいは、運転モードを含むことを必要としない。
【００１５】
本明細書で使用される用語は、特定の実施形態のみを説明する目的のためにあり、本発明の実施形態を限定することは意図されていない。本明細書で使用されるように、単数形“ａ”、“ａｎ”、および“ｔｈｅ”は、文脈において明確に示されていないのであれば、複数形を含むと意図されている。用語「備える（ｃｏｍｐｒｉｓｅｓ）」、「備えている（ｃｏｍｐｒｉｓｉｎｇ）」、「含む（ｉｎｃｌｕｄｅｓ）」、および／または，「含んでいる（ｉｎｃｌｕｄｉｎｇ）」は、本明細書で使用されている場合、述べられた特徴、完全体、ステップ、動作、要素、および／または、構成要素が存在することを明示するが、１または複数の他の特徴、完全体、ステップ、動作、要素、構成要素、および／または、これらのグループの存在または追加を排除しないことがさらに理解されるだろう。
【００１６】
さらに、多くの実施形態は、例えばコンピュータ・デバイスの素子によって実行されるべき動作のシーケンスの観点から説明される。本明細書に記載されたさまざまな動作は、具体的な回路（例えば、特定用途向けＩＣ（ＡＳＩＣ））によって、１または複数のプロセッサによって実行されるプログラム命令群によって、あるいはこれら両方の組み合わせによって実行されうることが認識されるだろう。さらに、本明細書に記載されたこれら動作のシーケンスは、実行時に、本明細書に記載された機能を、関連するプロセッサに対して実行させるコンピュータ命令群の対応するセットを格納した任意の形態のコンピュータ読取可能記録媒体にその全体が組み込まれることが考慮されうる。したがって、本発明のさまざまな態様は、多くの異なる形態で具体化され、それらすべてが、権利主張される主題の範囲内にあると考えられる。さらに、本明細書に記載された実施形態のおのおのについて、そのような実施形態の対応する形態は、例えば、記載された動作を実行「するように構成されたロジック」として記載される。
【００１７】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびロー・チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。さらに、本明細書に記載された手続は、ＦＤ−ＬＴＥシステムおよびＴＤ−ＬＴＥシステムにおいて使用することもできる。
【００１８】
シングル・キャリア変調および周波数領域等値化を用いるシングル・キャリア周波数分割多元接続（ＳＣ−ＦＤＭＡ）は、ＯＦＤＭＡに基づく無線技術である。ＳＣ−ＦＤＭＡは、ＯＦＤＭＡシステムと同様の性能および実質的に同じ全体的な複雑さを有する。しかしながら、ＳＣ−ＦＤＭＡ信号は、その固有のシングル・キャリア構造のために、より平均対ピーク電力比率（ＰＡＰＲ）が低いという長所を持つ。ＳＣ−ＦＤＭＡは、送信電力効率の観点において、低いＰＡＰＲがモバイル端末に大いに有益となるアップリンク通信において特に、大きな注目を集めた。よって、現在、３ＧＰＰロング・ターム・イボリューション（ＬＴＥ）またはイボルブドＵＴＲＡにおけるアップリンク多元接続スキームのための動作前提となっている。
【００１９】
図１は、典型的な多元接続無線通信システムのトップ・レベル図を示す。このシステムは、データ伝送のために、複数（ＮＴ個）の送信アンテナと、複数（ＮＲ個）の受信アンテナとを利用するＭＩＭＯシステムでありうる。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立したチャネルの各々は、ディメンションに相当しうる。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【００２０】
無線システムは、時分割デュプレクス（ＴＤＤ）システム、および／または、周波数分割デュプレクス（ＦＤＤ）システムでありうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビームフォーミング・ゲインを抽出できるようになる。
【００２１】
さらに図１に示すように、アクセス・ポイント１００（ＡＰ）は、１つはアンテナ１０４、１０６を含み、別のものはアンテナ１０８、１１０を含み、さらに別のものはアンテナ１１２、１１４を含む複数のアンテナ・グループを含むことができる。図１では、各アンテナ・グループについて２本のアンテナしか示されていないが、各アンテナ・グループについて、異なる数のアンテナが利用されうる。アクセス端末１１６（ＡＴ）はアンテナ１１２、１１４と通信している。ここで、アンテナ１１２、１１４は、順方向リンク１２０でアクセス端末１１６へ情報を送信し、逆方向リンク１１８でアクセス端末１１６から情報を受信する。アクセス端末１２２（ＡＴ）はアンテナ１０６、１０８と通信している。ここで、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００２２】
通信するように設計された領域および／またはアンテナのおのおののグループはしばしば、アクセス・ポイントのセクタと称される。図１に示される実施形態では、アンテナ・グループはおのおのの、アクセス・ポイント１００によってカバーされた領域内の指定されたセクタ内のアクセス端末に通信するように設計される。
【００２３】
順方向リンク１２０、１２６による通信では、アクセス・ポイント１００の送信アンテナは、別のアクセス端末１１６、１２４のための順方向リンクの信号対雑音比を改善するために、ビームフォーミングを利用することができる。有効範囲領域にわたってランダムに散在するアクセス端末へ送信するためにビームフォーミングを使用することにより、すべてのアクセス端末に対して単一のアンテナで送信しているアクセス・ポイントよりも、近隣セル内のアクセス端末に対して少ない干渉しかもたらさない。
【００２４】
図２は、無線通信システム内の典型的なアクセス端末２５０およびアクセス・ポイント２１０のブロック図を示す。この実施形態では、通信システムは、アクセス・ポイント２１０およびアクセス端末２５０を含むＭＩＭＯシステム２００でありうる。ダウンリンク（ＤＬ）送信は、アクセス・ポイントからアクセス端末へ生じる。アップリンク（ＵＬ）送信は、アクセス端末からアクセス・ポイントへ生じる。アクセス・ポイント２１０では、多くのデータ・ストリームのためのトラフィック・データが、データ・ソース２１２から送信（ＴＸ）データ・プロセッサ２１４へ提供されうる。データ・ストリームはおのおのの、それぞれの送信アンテナによって送信されうる。ＴＸデータ・プロセッサ２１４は、おのおののデータ・ストリームのトラフィック・データをフォーマットし、そのデータ・ストリームのために選択された特定の符号化スキームに基づいて符号化し、インタリーブすることにより、符号化されたデータを提供する。
【００２５】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。データ・ストリームのおのおのの多重化されたパイロットおよび符号化されたデータは、その後、そのデータ・ストリームのために選択された特定の変調スキーム（例えば、ＢＰＳＫ、ＱＳＰＫ、Ｍ−ＰＳＫ、Ｍ−ＱＡＭ等）に基づいて変調（すなわち、シンボル・マップ）され、変調シンボルが提供される。おのおののデータ・ストリームのデータ・レート、符号化、および変調は、プロセッサ２３０によって実行される命令群によって決定されうる。
【００２６】
すべてのデータ・ストリームの変調シンボルは、その後、ＴＸ  ＭＩＭＯプロセッサ２２０に提供される。ＴＸ  ＭＩＭＯプロセッサ２２０は、この変調シンボルを（例えば、ＯＦＤＭのために）さらに処理する。ＴＸ  ＭＩＭＯプロセッサ２２０は、その後、ＮＴ個の送信機（ＴＭＴＲ）２２２ａ乃至２２２ｔへ、ＮＴ個の変調シンボル・ストリームを提供する。ある実施形態では、ＴＸ  ＭＩＭＯプロセッサ２２０は、データ・ストリームのシンボルに、および、これらシンボルが送信されるアンテナに、ビームフォーミング重みを適用することができる。おのおのの送信機２２２は、それぞれのシンボル・ストリームを受信する。そして、これらシンボル・ストリームを処理して、１または複数のアナログ信号を提供する。さらに、これらアナログ信号を調整（例えば、増幅、フィルタ、および／または、アップ・コンバート）して、ＭＩＭＯチャネルによる送信に適した変調信号を提供する。送信機２２２ａ乃至２２２ｔからのＮＴ個の変調信号は、その後、ＮＴ個のアンテナ２２４ａ乃至２２４ｔからそれぞれ送信される。
【００２７】
アクセス端末２５０では、アクセス・ポイントからのダウンリンク（ＤＬ）信号は、ＮＲ個のアンテナ２５２ａ乃至２５２ｒによって受信されうる。おのおののアンテナ２５２からの受信信号は、それぞれの受信機（ＲＣＶＲ）２５４ａ乃至２５４ｒへ提供される。受信機２５４はおのおの、それぞれの受信信号を調整（例えば、フィルタ、増幅、および、ダウン・コンバート）し、調整された信号をデジタル化して、サンプルを得る。さらに、これらサンプルを処理して、対応する「受信」シンボル・ストリームを提供する。
【００２８】
その後、ＲＸ  ＭＩＭＯプロセッサ２６０が、ＮＲ個の受信シンボル・ストリームをＮＲ個の受信機２５４から受信し、特定の受信機処理技術に基づいて処理して、ＮＴ個の「検出された」シンボル・ストリームを提供する。その後、ＲＸデータ・プロセッサ２６１が、この検出されたシンボル・ストリームを復調、デインタリーブ、および復号して、データ・ストリームのためのトラフィック・データを復元する。ＲＸ  ＭＩＭＯプロセッサ２６０による処理は、ＴＸ  ＭＩＭＯプロセッサ２２０によって行われるものと相補的である。ＲＸデータ・プロセッサによる処理は、アクセス・ポイント２１０においてＴＸデータ・プロセッサ２１４によって行なわれるものと相補的である。
【００２９】
その後、プロセッサ２７０が、通信リンクおよび／または受信データ・ストリームに関するさまざまなタイプの情報を備える逆方向リンク・メッセージを定式化する。逆方向リンク・メッセージはその後、ＴＸデータ・プロセッサ２３８によって処理される。ＴＸデータ・プロセッサ２３８はまた、データ・ソース２３６からの多くのデータ・ストリームに関するトラフィック・データを受信する。逆方向リンク・メッセージはさらに、ＴＸ  ＭＩＭＯプロセッサ２８０によって変調され、送信機２５４ａ乃至２５４ｒによって調整され、送信機システム２１０へ送り戻される。送信機システム２１０では、受信機システム２５０からの変調信号が、アンテナ２２４によって受信され、受信機２２２によって調整され、ＲＸ  ＭＩＭＯプロセッサ２４０によって復調され、ＲＸデータ・プロセッサ２４２によって処理されて、受信機システム２５０によって送信された逆方向リンク・メッセージが抽出される。
【００３０】
順方向リンクおよび逆方向リンクのための送信タイムラインは、スーパフレームの単位へ分割されうる。図３は、典型的なスーパフレーム３００構造に関連付けられたフォーマットの図を示す。スーパフレームはおのおのの、固定値または設定可能である特定の持続時間に及びうる。図３に示す実施形態では、スーパフレーム・プリアンブルが約２５ミリ秒毎に繰り返す。順方向リンクにおいては、スーパフレーム３００は、Ｍ個の物理レイヤ（ＰＨＹ）フレームが続くプリアンブルを含む。ここで、Ｍは、任意の整数値である。逆方向リンクにおいては、各スーパフレームは、Ｍ個のＰＨＹフレームを含みうる。ここでは、第１番目のＰＨＹフレームが、順方向リンクにおいて、スーパフレーム・プリアンブルの長さまで広がっている（例えば、図３に示すように、フレーム０は、１６のＯＦＤＭシンボルを含むことができる）。図３に示す設計では、スーパフレームはおのおのの、０乃至２４とインデクスされた２５のＰＨＹフレームを含んでいる。ＰＨＹフレームはおのおのの、トラフィック・データ、シグナリング、パイロット等を搬送することができる。
【００３１】
スーパフレーム・プリアンブル３０５は、アクセス端末２５０がページング動作および獲得動作を実行できるようにする情報を含むことができる。迅速なページングのための情報が、例えば、クイック・ページ・チャネル（ＱＰＣＨ）のようなページング・チャネルによって提供されうる。獲得のための情報は、時分割多重（ＴＤＭ）パイロット１、２、３に存在しうる。１つの実施形態では、スーパフレーム・プリアンブルは、０乃至７とインデクスされた８つのＯＦＤＭシンボルを含む。ＯＦＤＭシンボル０は、構成特有のパラメータのための情報を搬送する順方向プライマリ・ブロードキャスト制御チャネル（Ｆ−ＰＢＣＣＨ）を備えうる。ＯＦＤＭシンボル１乃至４は、順方向セカンダリ・ブロードキャスト制御チャネル（Ｆ−ＳＢＣＣＨ）または順方向クイック・ページング・チャネル（Ｆ−ＱＰＣＨ）のいずれかを備えうる。Ｆ−ＳＢＣＣＨは、セクタ特有パラメータのための情報を搬送しうる。Ｆ−ＱＰＣＨは、迅速なページングに使用される情報を搬送しうる。ＯＦＤＭシンボル５、６、７は、時分割多重（ＴＤＭ）パイロット１、２、３それぞれを備えうる。これらは、既に説明したような初期獲得のために端末によって使用される。ＴＤＭパイロット１は、順方向獲得チャネル（Ｆ  ＡＣＱＣＨ）として使用されうる。順方向別セクタ干渉チャネル（Ｆ  ＯＳＩＣＨ：A Forward Other-Sector-Interference Channel）が、ＴＤＭパイロット２、３で送信されうる。スーパフレーム・プリアンブルは、別の手法でも定義されることができ、ページングは、さまざまな信号およびチャネルを用いて実行されることができるので、提示されたフォーマットおよびチャネル構造は、単なる典型例であることが認識されるだろう。
【００３２】
例えば、ロング・ターム・イボリューション（ＬＴＥ）システムでは、ＴＤＭパイロット１およびＴＤＭパイロット２に相当するものは、プライマリ同期信号およびセカンダリ同期信号（ＰＳＳ、ＳＳＳ）である。他の実施形態では、プライマリ・パイロット・チャネル（ＰＰＩＣＨ）のような信号、あるいはＬＴＥに等価な共通基準信号が、探索測定および／またはパイロット強度測定のために同期信号の代わりに使用されうる。さらに、別の実施形態では、ページングは、例えばプライマリ・データ共有チャネル（ＰＤＳＣＨ）のようなデータ・チャネルを用いて実行されうる。
【００３３】
１つの実施形態では、アクセス端末がスリープした場合、クイック・ページング動作に関して、ＱＰＣＨを読み取るために、定期的にウェイク・アップする必要がある。ＱＰＣＨ復号が成功し（すなわち、メッセージがＣＲＣテストに合格し）、端末がページされると、ページングの詳細を決定するために、フル・ページ・チャネルを復号する必要がある。このフル・ページ・チャネルは、ハイブリッドＡＲＱ（ＨＡＲＱ）を用いて規則的なＰＨＹフレームで送信されうる。この送信は６フレームに及ぶ。フレームは、約〜５ミリ秒間隔で分離されている。良好なＳＮＲの端末は、１フレームでフル・ページを復号する。一方、貧弱なＳＮＲの端末は、フル・ページを復号するために、６フレームもかかってしまう。したがって、フル・ページに対する合計復号時間は、高々およそ３０ミリ秒でありうる。一般に、フル・ページ・チャネルを復号することは、過度の電力を消費し、バッテリ寿命を浪費する。ＱＰＣＨチャネルが導入されるのは、この理由のためである。すなわち、アクセス端末２５０の復号に要する時間を制限し、もって、バッテリ寿命を延ばすためである。
【００３４】
電源投入後に、初期化されると、受信したチャネルを復号するために、アクセス端末２５０は、まず、獲得を実行する必要がある。アクセス端末２５０は、まず電源が投入されると、ＤＬチャネルの正しい復号を行うために、アクセス端末のアクセス・ポイントに関するタイミング・オフセットおよび周波数オフセットを決定する必要がある。これらのオフセットを決定するために、アクセス端末は、本明細書において「獲得」と定義されるものを実行する。この獲得手続は、ＴＤＭ−１、２、３パイロット・シンボルを追跡し、もって、正しいタイミング・オフセットおよび周波数オフセットを確立する。言い換えれば、獲得後、アクセス端末は、例えばＱＰＣＨチャネルやＤＣＨ（データ・チャネル）等のような他のチャネルを復号することができる。
【００３５】
１つの実施形態では、スーパフレーム・プリアンブルは、０乃至７とインデクスされた８つのＯＦＤＭシンボルを含みうる。ＯＦＤＭシンボル０は、構成特有のパラメータのための情報を搬送する順方向プライマリ・ブロードキャスト制御チャネル（Ｆ−ＰＢＣＣＨ）を備えうる。ＯＦＤＭシンボル１乃至４は、順方向セカンダリ・ブロードキャスト制御チャネル（Ｆ−ＳＢＣＣＨ）あるいは順方向クイック・ページング・チャネル（Ｆ−ＱＰＣＨ）のうちの何れかを備えうる。Ｆ−ＳＢＣＣＨは、セクタ特有パラメータのための情報を搬送しうる。Ｆ−ＱＰＣＨは、上述したような迅速なページングに使用される情報を搬送しうる。
【００３６】
図４は、アクセス端末に関連付けられた受信機４００の典型的なハードウェア・アーキテクチャのブロック図を示す。受信機は、フロント・エンド４０５、サンプル・サーバ４１０、ＦＦＴエンジン４１５、シンボル・バッファ４２０、復調器４２５、およびデコーダ４３０を含む、一連の信号処理機能ブロックで構成されうる。信号処理ブロックは、プロセッサ４４０によって制御されうる。プロセッサ４４０は、ハードウェア／ファームウェア（ＨＷ／ＦＷ）インタフェース４３５を介して信号処理ブロックとインタフェースしている。少なくとも１つのマイクロ・プロセッサ、マイクロ・コントローラ、デジタル信号プロセサ（ＤＳＰ）等、あるいはこれらの任意の組み合わせでありうるプロセッサ４４０は、プログラム・コードおよび関連する任意のパラメータおよびデータを格納するオンボードまたは外部搭載されたメモリ４４５を含みうる。プログラム・コードは、ソフトウェア、ファームウェア、あるいはこれらの任意の組み合わせの形態で実現されうる。
【００３７】
受信信号をアナログ・デジタル変換器（ＡＤＣ）によってデジタル化することによって得られた受信ベースバンドのＩおよびＱの信号時間領域サンプルは、デジタル・フロント・エンド・ブロック４０５へ提供される。デジタル・フロント・エンド・ブロックは、例えばデジタルＡＧＣやフィルタリングのような信号調整を実行する。モデムは一般に、（図示しない）ＲＦ回路の一部であるアナログ・フロンド・エンド・ブロックも有する。ＲＦ回路は、アナログＡＧＣ、ミキサ、アナログ・フィルタ等のようなアナログ構成要素を含み、受信信号がＡＤＣへ提供される前に、受信信号について演算を行う。
【００３８】
時間領域サンプルが、サンプル・サーバ４１０へ提供される。サンプル・サーバ４１０では、時間領域サンプルが、周波数領域に変換される前にバッファされる。時間領域サンプルは、ＦＦＴエンジン４１５を使用することによって、周波数領域シンボルへ変換される。周波数領域シンボルは、その後、シンボル・バッファ４２０内にバッファされる。周波数領域シンボルは、復調器４２５によって、ソフト情報ビットへと復調され、その後、デコーダ４３０において復号される。復調器４２５は、ログ尤度比（ＬＬＲ）計算エンジンが後に続く、ＭＭＳＥ受信機のようなＭＩＭＯ受信機を有しうる。デコーダ４３０は、Ｖｉｔｅｒｂｉデコーダ、Ｔｕｒｂｏｄコーダ、および／または、ＬＤＰＣデコーダを含みうる。
【００３９】
既に述べたように、バッテリ寿命を節約するために、端末が不動作である期間中、アクセス端末のスリープ時間が延長されうる。しかしながら、スリープ・クロックのドリフトによって、顕著な時間ドリフトおよび／または周波数ドリフトが引き起こりうる。例として、２０ＭＨｚシステムにおける２ｐｐｍのスリープ・クロック・ドリフトは、１０秒のスリープ期間に対して、〜２０マイクロ秒のタイミング・ドリフトをもたらしうる。例えば、ＬＴＥ規格、ＵＭＢ規格、あるいは８０２．２０規格のような１つの実施形態では、ＯＦＤＭシンボルは、〜１００マイクロ秒の長さになりうる。この場合、タイミング・ドリフトは、ＯＦＤＭシンボル期間の約１／５である。例えば８０２．１１ＷＬＡＮ規格のような他の実施形態では、ＯＦＤＭシンボルは４マイクロ秒の長さになりうる。この場合、タイミング・ドリフトは、約５ＯＦＤＭシンボルに及びうる。さらに、ｐｐｍにおいて高いドリフト仕様（例えば、５０−１００ｐｐｍ）を有する低コストの水晶発振器（ＸＯ）を用いれば、この時間スケールに対してはるかに大きな時間／周波数ドリフトをもたらす。そのような時間ドリフトおよび／または周波数ドリフトにより、アクセス端末は、ウェイク・アップ時に、ページング・チャネル（例えば、ＱＰＣＨ）を復号することができない。なぜなら、一般的に、ＱＰＣＨチャネルは、より高いスペクトル効率を有し、時間／周波数ドリフトによってもたらされる歪みに対して影響を受けやすいからである。その結果、アクセス端末は、ページされているのか否かを知ることができない。前述したように、これによって、端末は、フル・ページ・チャネルの復号を試みることになる。これは、端末を、最大３０ミリ秒の間、アウェイクさせる。一般に、端末は、タイミング／周波数ドリフトが存在していても、フル・ページ・チャネルを復号するために適した場所に配置されている。なぜなら、情報は、３０ミリ秒にわたって広がっている６つのフレームに対して符号化され、スペクトル効率が非常に低く（ＱＰＣＨチャネルのスペクトル効率よりも低く）なるためである。しかしながら、時間ドリフトが、ＯＦＤＭシンボルの顕著な量を占める（例えば、＞２５％）場合、あるいは、周波数ドリフトが、ＯＦＤＭトーン・スペーシングの顕著な量を占める（例えば、＞２５％）場合、フル・ページ復号に失敗する可能性が高い。これによって、端末は、フレッシュな時間／周波数オフセットを取得するために、タイム・アウト期間後に獲得を再実行することになる。そして、その後、これらを用いて、フル・ページを復号する。
【００４０】
上記動作はすべて、バッテリ電力の顕著な消費と、スタンバイ時間の低減とをもたらす。この効果を緩和するために、従来のアクセス端末は、クロック・ドリフトを短くするために、スリープ時間を短縮している。これもまた、効率に悪影響をもたらす。代わりに、アクセス端末は、より小さなｐｐｍスリープ・ドリフトしかもたらさないより高価なＬＯを適用することができる。これは、端末コストを増大させる。
【００４１】
本開示の実施形態は、スリープ・クロックの時間ドリフトおよび／または周波数ドリフトを、最小の電力消費量で補償することによって、スタンバイ時間を改善することができる。この補償は、以下のように実行することができる。スリープ時間が十分に長く、予め定めた期間を超える場合、アクセス端末は、バッファされたサンプルにおけるある未知の時間オフセットにおいて、スーパフレーム・サンプルをも含むサンプルをバッファするために、早めにアウェイクすることができる。例えば、端末が５ｐｐｍのクロックを使用しており、１０秒間スリープする場合、端末は、サンプルをバッファするために、最悪ケースのクロック・ドリフトとして〜５０マイクロ秒を仮定して、〜５０マイクロ秒早めにウェイク・アップする。実際のｐｐｍオフセットは、所与の任意の時間インスタントにおいて、５ｐｐｍよりも小さいので、バッファされたサンプルは、実際には、最大５０マイクロ秒のある未知のオフセットにおいてスーパフレーム・プリアンブルを含むだろう。具体的にはＴＤＭパイロットであるバッファ済みサンプルは、その後、時間オフセット値および周波数オフセット値を決定するために、分析および処理される。バッファされたサンプルはその後、迅速なページング動作前に、時間／周波数オフセット値について補正される。
【００４２】
このバッファリングは、獲得アルゴリズム４５０を実行するプロセッサ４４０によって、このプロセッサのタイト・カップル・メモリ（ＴＣＭ）内にサンプルを格納することによって実行される。あるいは、このプロセッサは、ＦＦＴエンジン４１５を制御して、バイパス・モードにし、これによって、時間領域サンプルが、シンボル・バッファ４２０内にバッファされるようにする。ドリフト補償アルゴリズム４５５は、算出されたドリフト・オフセット値およびバッファされたサンプルから補正係数を計算する。そして、ドリフトを補償するために、この値を、バッファされたサンプルに適用する。獲得アルゴリズムおよびドリフト補償アルゴリズムの詳細は、図５および図６の説明において、以下に示される。
【００４３】
図５は、アクセス端末２５０内の時間領域サンプルの獲得およびドリフトの補償のための典型的な処理５００のフロー図を示す。
【００４４】
スリープに入った後、アクセス端末２５０は、「持続時間＝スリープ・サイクル−デルタＴ」において、ウェイク・アップする。ここで、デルタＴは、スリープ・ドリフトである。一例において、５ｐｐｍの最大クロックと、１０秒のスリープ持続時間を仮定すると、デルタＴは、５０マイクロ秒となりうる。プロセッサは、その後、ウェイク・アップ時に、時間領域サンプルをバッファしうる（ブロック５２０）。いくつかの実施形態では、時間領域サンプルは、スーパフレーム・プリアンブルの一部でありうる。
【００４５】
時間領域サンプルの記憶場所は、例えば、シンボル・バッファ４２０内のシンボル−ＲＡＭ、プロセッサのタイト・カップル・メモリ（ＴＣＭ）のように、アクセス端末２５０内で利用可能な種々の異なる記憶場所を用いて達成される。プロセッサ４４０は、ＨＷ／ＦＷインタフェース４３５を経由して、適切な信号処理ブロックのうちの何れかを制御することにより、シンボルがどこにバッファされたかを判定する。例えば、１つの実施形態では、プロセッサ４４０は（獲得したサンプルを周波数領域に変換することを回避するために）、ＦＦＴエンジン４１５を、バイパス・モードにし、バッファリングのためのサンプルを、サンプル・サーバ４１０からシンボルＲＡＭまたはＴＣＭに移動させる。
【００４６】
時間領域サンプルをバッファした後、プロセッサ４４０は、節電するために、ＲＦ回路の電源を切る（ブロック５２５）。その後、プロセッサは、ドリフトを決定し補正するために、スーパフレーム・プリアンブルの純粋なデジタル処理を開始する（ブロック５３０）。この処理の詳細は、図６に示される。
【００４７】
次に、アクセス端末２５０は、アクセス端末２５０がページされたかを判定するために、補正されたバッファ済みの時間領域サンプルを用いて、ページング・チャネルの通常の復調処理を実行する（ブロック５３５）。ページング・チャネルの復号の結果、正しいＣＲＣが得られ、アクセス端末２５０が、ページを検出した場合（ブロック５４０）、次のスーパフレームのフル・ページの復号に進む（ブロック５４５）。一方、ブロック５４０において、ページング・チャネルの復号の結果、正しいＣＲＣが得られたが、ページが検出されなかった場合、アクセス端末２５０は、スリープ状態に再び入る（ブロック５５０）。
【００４８】
アクセス端末２５０のプロセッサ４４０はまた、ハードウェアの能力に基づいて、ページング・チャネル復調および時間／周波数補正のうちのいくつかまたはすべての部分を、ファームウェア（ＦＷ）において、オフラインで行うことを選択する。フル・ページ・チャネルを復号するために、端末は、正確な時間にウェイク・アップするために、既に計算された時間／周波数オフセットを利用する。さらに、この正確な周波数オフセットを、フェーズ・ロック・ループ（ＰＬＬ）、デジタル周波数補正ブロック、あるいは、電圧制御温度補償型水晶発振器（ＶＣＴＣＸＯ）に適用する。
【００４９】
したがって、図５に示す上記方法にしたがうウェイク・アップ時間は、従来のウェイク・アップ処理よりも著しく短いので、スタンバイ時間が実質的に延長される。
【００５０】
このアプローチはまた、時間／周波数ドリフトが存在する場合、ページング・チャネルの復調および復号のパフォーマンスを高めるので、例えばフル・ページおよび／またはフル・ページ失敗のような次のページを読み取る可能性が低くなり、もって、バッテリ電源を節約する。
【００５１】
スリープ・ドリフト（デルタＴ）が、あるしきい値未満（例えば、ＯＦＤＭシンボル持続時間の１／２０未満）である場合、アクセス端末は、「持続時間＝スリープ・サイクル」においてウェイク・アップすることを選び、ページされているかを判定するために、ページング・チャネルの通常の復調を続けることに注目されたい。言い換えれば、時間領域サンプルをバッファすることを含む、時間／周波数オフセットの推定および補正のための上述したすべての処理が、スキップされる。これは、電力消費量をさらに低減するためになされる。
【００５２】
図６は、図５に示す補償処理５３０内における時間ドリフトおよび／または周波数ドリフトを補正するための典型的な処理のフロー図を示す。
【００５３】
図５に示すブロック５２０においてサンプルをバッファした後、プロセッサ４４０は、クロックの時間オフセットおよび／または周波数オフセットを計算するために、アクセス端末２５０に対して、まず、コールド・スタート獲得モードにおいて、ＴＤＭ−１，２，３パイロット・サンプルを処理するように命じる（ブロック６０５およびブロック６１０）。次に、プロセッサ４４０は、ページング・チャネルに対応するバッファ済みのサンプルに、時間補正および／または周波数補正を適用することによって、これらオフセットを補償する（ブロック６１５）。時間補正は、検出された一時的なオフセットにしたがって、ページング・チャネルの第１番目のＯＦＤＭシンボルの開始位置を変えることによって適用される。周波数補正は、推定された周波数オフセットに対応する時間領域フェーズ・ランプを用いることによって適用される。例えば、周波数オフセットが“ｆ”と表示される場合、フェーズ・ランプは、シータ（ｔ）＝ｅｘｐ（ｊ＊２＊π＊ｆ＊ｔ）として与えられる。ここで、ｊ＝ｓｑｒｔ（−１）、ｔは時間である。このフェーズ・ランプは、受信サンプルによって、ポイント・ワイズに乗じられ、周波数補正された受信サンプルが得られる。
【００５４】
当業者であれば、情報および信号は、さまざまな異なる技術および技法のうちの何れかを用いて表されることを認識するだろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５５】
さらに、当業者であれば、本明細書で開示された実施形態に関連して記載されたさまざまな例示的な論理ブロック、モジュール、回路、およびアルゴリズム・ステップが、電子ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、各特定のアプリケーションに応じて変化する方法で上述した機能を実現することができる。しかしながら、この適用判断は、本開示の範囲からの逸脱をもたらすものと解釈されるべきではない。
【００５６】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようにディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、Ｂｌｕ−ｒａｙディスクを含む。ここで、ｄｉｓｋは通常、データを磁気的に再生し、ｄｉｓｃは、レーザを用いてデータを光学的に再生する。上記の組み合わせもまた、コンピュータ読取可能媒体の範囲内に含まれるべきである。
【００５７】
したがって、本発明の実施形態は、アクセス端末において、スリープ期間中に生じるドリフトを補償するための方法を組み込んだコンピュータ読取可能媒体を含みうる。したがって、この発明は、例示された例に限定されず、本明細書に記載された機能を実行するための任意の主題が、本発明の実施形態に含まれる。
【００５８】
先の開示は、本発明の例示的な実施形態を示しているが、本明細書では、さまざまな変更および修正が、添付された請求項によって定義されるような本発明の範囲から逸脱することなくなされうることが注目されるべきである。本明細書に記載される本発明の実施形態にしたがった方法請求項の機能、ステップ、および／または動作は、何れの特定の順序によっても実行される必要はない。さらに、本発明の要素は、単数形で記載も特許請求もされていないが、単数形へ限定することが明確に述べられていないのであれば、複数が考慮される。
【図１】
2011517212.tif 000003
【図２】
2011517212.tif 000004
【図３】
2011517212.tif 000005
【図４】
2011517212.tif 000006
【図５】
2011517212.tif 000007
【図６】
2011517212.tif 000008
【国際調査報告】
2011517212.tif 000009
2011517212.tif 000010